(57)【要約】【課題】容器本体に収容した内容液を液状のまま吐出させることも泡状にして吐出させることも可能な吐出容器を提供する。【解決手段】本発明の吐出容器は、容器本体１と、パイプ３と、キャップ本体２と、蓋体４と、を備え、蓋体４を開蓋させた状態で容器本体１を傾倒させることによって、収容空間Ｓの内容液を排出口２ｅから外界に吐出させ、容器本体１を振って内容液を発泡させ且つ蓋体４を閉蓋させた状態で容器本体１を傾倒させつつ胴部１ｂを圧搾することによって、発泡させた内容液をパイプ３の底部側開口３ａから導入して吐出口５ｇから外界に吐出させる。【選択図】図１
2020158180.tif 000002
【特許請求の範囲】
【請求項１】
上部を開放した口部、該口部につながる可撓性を有する胴部、及び該胴部につながる底部によって有底筒状をなすとともに、内側に内容液を収める収容空間を有する容器本体と、
管状をなし、前記底部側に位置する底部側開口、及び前記口部側に位置する口部側開口を有するパイプと、
前記口部に取り付けられ、前記パイプを保持するとともに前記口部側開口に通じる連通口と前記収容空間に通じる排出口とを有する天壁を備えるキャップ本体と、
前記キャップ本体に着脱可能に装着され、開蓋時においては前記排出口を外界に通じさせる一方、閉蓋時においては前記天壁との間で該排出口を外界から遮蔽する頂壁と、開蓋時においては前記連通口から離反する一方、閉蓋時においては一端部が該連通口に接続されて他端部に設けた吐出口が該連通口に通じる連結部材と、を有する蓋体と、を備え、
前記蓋体を開蓋させた状態で前記容器本体を傾倒させることによって、前記収容空間の内容液を前記排出口から外界に吐出させ、該容器本体を振って内容液を発泡させ且つ該蓋体を閉蓋させた状態で該容器本体を傾倒させつつ前記胴部を圧搾することによって、発泡させた内容液を前記底部側開口から導入して前記吐出口から外界に吐出させる吐出容器。
【請求項２】
更に、前記吐出口を覆って前記蓋体に着脱可能に装着される外蓋を備える請求項１に記載の吐出容器。
【請求項３】
前記キャップ本体と前記蓋体とを一体に連結する第一ヒンジと、前記蓋体と前記外蓋とを一体に連結する第二ヒンジとを備える請求項２に記載の吐出容器。
【請求項４】
前記蓋体は、前記吐出口の上流側において発泡部材を有する請求項１〜３の何れか一項に記載の吐出容器。
【請求項５】
前記蓋体は、前記吐出口の下流側において、通常時は閉鎖する一方、前記胴部への圧搾によって前記収容空間が加圧されるに伴って開放する逆止弁を有する請求項１〜４の何れか一項に記載の吐出容器。
【請求項６】
前記連結部材は、前記連通口を閉鎖、開放する第二逆止弁と、該連通口とは別異に設けられて前記収容空間と前記吐出口とを連通させる第二連通口とを備えるものであって、
前記蓋体を閉蓋させた状態で圧搾後の前記胴部が復元するに伴って該吐出口から外気が取り込まれる際、前記連通口は前記第二逆止弁で閉鎖される一方、前記吐出口から取り込まれた外気は前記第二連通口から前記収容空間に導入されるよう構成される請求項１〜５の何れか一項に記載の吐出容器。
【請求項７】
前記第二連通口から前記収容空間に至る経路にメッシュ部材を備える請求項６に記載の吐出容器。
【発明の詳細な説明】
【技術分野】
【０００１】
本発明は、容器本体に収容した内容液を外界に吐出する吐出容器に関するものであり、特に、収容した内容液を液状のまま吐出させることも泡状にして吐出させることも可能な吐出容器に関する。
【背景技術】
【０００２】
従来、洗浄剤や薬剤、食品調味料、飲料等を収容する容器の分野においては、可撓性を有する胴部を圧搾することによって収容した内容液を泡状で吐出することが可能な吐出容器が既知である（例えば特許文献１、２を参照）。
【先行技術文献】
【特許文献】
【０００３】
【特許文献１】実開平７−３９９４８号公報
【特許文献２】特開２０１２−２４６０４１号公報
【発明の概要】
【発明が解決しようとする課題】
【０００４】
ところで内容液を吐出させるにあたっては、これを泡状にして吐出させる場合に限られず、発泡させずに液状のまま吐出させたい時がある。例えば衣類の汚れを落とす場合においては、衣類の表面に洗浄剤を長く留めるべくこれを泡状にして吐出させたい時もあるし、衣類に素早く浸透させることを目的に、液状のまま吐出させたい時もある。また食品調味料（醤油など）においては、液状のまま食品にかけることもあるし、使用量を減らすべく、泡状にして食品の上に載せ置くように吐出させることもある。更にビールやコーヒーなどの飲料においては、グラス等に液状のまま注いだ後に泡を液面上に吐出させたいとする要望もある。しかし、特許文献１、２に示されている吐出容器は、内容液を液状のまま吐出させることはできないため、このような場合は容器本体に装着した吐出器を取り外して使用するか、又は液体のまま吐出できる別の容器を用意しておく必要がある。
【０００５】
本発明は、このような点に鑑みてなされたものであり、容器本体に収容した内容液を液状のまま吐出させることも泡状にして吐出させることも可能な吐出容器を提供することを目的とする。
【課題を解決するための手段】
【０００６】
本発明は、上部を開放した口部、該口部につながる可撓性を有する胴部、及び該胴部につながる底部によって有底筒状をなすとともに、内側に内容液を収める収容空間を有する容器本体と、
管状をなし、前記底部側に位置する底部側開口、及び前記口部側に位置する口部側開口を有するパイプと、
前記口部に取り付けられ、前記パイプを保持するとともに前記口部側開口に通じる連通口と前記収容空間に通じる排出口とを有する天壁を備えるキャップ本体と、
前記キャップ本体に着脱可能に装着され、開蓋時においては前記排出口を外界に通じさせる一方、閉蓋時においては前記天壁との間で該排出口を外界から遮蔽する頂壁と、開蓋時においては前記連通口から離反する一方、閉蓋時においては一端部が該連通口に接続されて他端部に設けた吐出口が該連通口に通じる連結部材と、を有する蓋体と、を備え、
前記蓋体を開蓋させた状態で前記容器本体を傾倒させることによって、前記収容空間の内容液を前記排出口から外界に吐出させ、該容器本体を振って内容液を発泡させ且つ該蓋体を閉蓋させた状態で該容器本体を傾倒させつつ前記胴部を圧搾することによって、発泡させた内容液を前記底部側開口から導入して前記吐出口から外界に吐出させる吐出容器である。
【０００７】
更に、前記吐出口を覆って前記蓋体に着脱可能に装着される外蓋を備えることが好ましい。
【０００８】
前記キャップ本体と前記蓋体とを一体に連結する第一ヒンジと、前記蓋体と前記外蓋とを一体に連結する第二ヒンジとを備えることが好ましい。
【０００９】
前記蓋体は、前記吐出口の上流側において発泡部材を有することが好ましい。
【００１０】
前記蓋体は、前記吐出口の下流側において、通常時は閉鎖する一方、前記胴部への圧搾によって前記収容空間が加圧されるに伴って開放する逆止弁を有することが好ましい。
【００１１】
前記連結部材は、前記連通口を閉鎖、開放する第二逆止弁と、該連通口とは別異に設けられて前記収容空間と前記吐出口とを連通させる第二連通口とを備えるものであって、
前記蓋体を閉蓋させた状態で圧搾後の前記胴部が復元するに伴って該吐出口から外気が取り込まれる際、前記連通口は前記第二逆止弁で閉鎖される一方、前記吐出口から取り込まれた外気は前記第二連通口から前記収容空間に導入されるよう構成されることが好ましい。
【００１２】
前記第二連通口から前記収容空間に至る経路にメッシュ部材を備えることが好ましい。
【発明の効果】
【００１３】
このような構成になる本発明における吐出容器によれば、内容液を液状のまま吐出させる場合には、蓋体を開蓋させた状態で容器本体を傾倒させれば、収容した内容液を液状のままで排出口から吐出させることができる。また内容液を泡状にして吐出させる場合には、容器本体を振って内容液を発泡させておき、更に蓋体を閉蓋させた状態で容器本体を傾倒させつつ胴部を圧搾すれば、収容空間で泡状になった内容液を、底部側開口を通して吐出口から吐出させることができる。
【００１４】
また、吐出口を覆って蓋体に着脱可能に装着される外蓋を設ける場合は、保管時において吐出口が露出したままになることがないため、吐出口に付着した内容液が固化したり、埃等が吐出口に付着したりする不具合を防止することができる。
【００１５】
このような蓋体や外蓋は、例えばそれぞれが別異の部材であって、ねじ等を利用して着脱可能に装着できるものでもよいが、キャップ本体と蓋体とを一体に連結する第一ヒンジと、蓋体と外蓋とを一体に連結する第二ヒンジとを設ける場合は、キャップ本体、蓋体、及び外蓋を一つの部材で形成することができる。またこれらが別異の部材であれば、開蓋させた外蓋や蓋体の置き場を確保する必要があるものの、第一ヒンジと第二ヒンジを設ける場合は、置き場を気にすることなく使用できる。しかも、第一ヒンジと第二ヒンジを備えることによって片手であっても外蓋や蓋体を開蓋させることができるため、使い勝手に優れる。
【００１６】
また蓋体に、吐出口の上流側において発泡部材を設ける場合は、容器本体を振って泡状にした内容液を、更に肌理の細かい泡にして吐出することができる。
【００１７】
そして蓋体に、吐出口の下流側において、通常時は閉鎖する一方、胴部への圧搾に伴って収容空間が加圧されると開放する逆止弁を設ける場合は、泡状にして吐出した後の泡切れが良くなるうえ、吐出口に残った内容液が垂れ落ちる不具合を有効に防止することができる。
【００１８】
また連結部材に、上述した如き第二逆止弁と第二連通口とを設ける場合は、蓋体を閉蓋させた状態で圧搾後の胴部が復元する際、吐出口から取り込まれた外気は、パイプにつながる連通口は通過せずに第二連通口から収容空間に導入される。すなわち、外気が収容空間に導入されるにあたってパイプ内を通過すると、パイプ内に残っていた泡状の内容液が収容空間に戻されてしまい、次に胴部を圧搾しても泡状の内容液がすぐには吐出されないことがあるが、外気が第二連通口から収容空間に導入される場合は、次に胴部を圧搾する際にも直ちに泡状の内容液を吐出することができる。
【００１９】
そして第二連通口を設けるにあたり、泡状の内容液を吐出させるべく蓋体を閉蓋させた状態で容器本体を傾倒させると、収容空間の内容液が第二連通口に向かって流れるため、この状態で胴部を圧搾すると、底部側開口から吐出口へ送給される泡状の内容液に加え、液状のままの内容液が第二連通口から吐出口へ送給される可能性がある。ここで、第二連通口から収容空間に至る経路にメッシュ部材を設ける場合は、メッシュ部材が抵抗となって液状の内容液が第二連通口に流れにくくなるため、泡状の内容液を優先して吐出させることができる。
【図面の簡単な説明】
【００２０】
【図１】本発明に従う吐出容器の一実施形態を示す、側面視での断面図である。
【図２】図１に示す吐出容器のキャップ本体周辺を拡大して示した図である。
【図３】図１に示す吐出容器から内容液を液状のまま吐出させる状況について説明する図である。
【図４】図１に示す吐出容器から泡状の内容液を吐出させる状況について説明する図である。
【図５】泡状にお内容液を吐出した後、胴部への圧搾を解除して外気が容器本体に取り込まれる状況について説明する図である。
【発明を実施するための形態】
【００２１】
以下、図面を参照しながら本発明に従う吐出容器の一実施形態について説明する。なお、図１は本実施形態の吐出容器を正立させた状態の図であって、以下の説明における「上」「下」の関係は、基本的には図１に示した吐出容器を正立させた状態での向きをいう。
【００２２】
本実施形態の吐出容器は、容器本体１、キャップ本体２、パイプ３、蓋体４、連結部材５、移動弁（第二逆止弁）６、発泡部材７、スリット弁（逆止弁）８、メッシュ部材９、外蓋１０を備えている。
【００２３】
容器本体１は、図１に示すように有底筒状をなすものであって、中央部を上方に向けて湾曲させた底部１ａと、底部１ａの外縁部に連結するとともに上下方向中間部が外側に向けて湾曲する胴部１ｂと、胴部１ｂの上端部に連結し、中心軸線Ｏに沿って延在するとともに上部を開放した口部１ｃを備えている。口部１ｃの外周面には、雄ねじ部１ｄが設けられている。また容器本体１の内側には、内容液を収めるための収容空間Ｓが形成されている。なお、本実施形態の容器本体１は合成樹脂等によって形成されるものであって、胴部１ｂは可撓性を有している。
【００２４】
キャップ本体２は、図２に示すように口部１ｃを取り囲む円筒状の外周壁２ａと、外周壁２ａの上端部に連結する天壁２ｂを備えている。本実施形態の天壁２ｂは、径方向外側部分は水平方向に延在してドーナツ板状をなすものであり、また径方向内側部分は、下方に向けて延在した後、水平方向に延在する概略有底筒状をなすものである。また天壁２ｂにおける径方向内側部分の中央には、上下方向に天壁２ｂを貫く連通口２ｃと、連通口２ｃを取り囲んで下方に向けて延在する筒状の保持壁２ｄが設けられている。また保持壁２ｄの径方向外側には、周方向に間隔をあけて天壁２ｂを貫通する排出口２ｅが設けられている。そして天壁２ｂの上面には、上方に向けて延在するとともに上端部を径方向外側に向けて湾曲させた筒状の注出筒２ｆが設けられている。なお注出筒２ｆは、後述する第一ヒンジ（符合４ｃ）が設けられた側に対し、中心軸線Ｏを挟んで反対側の高さが高くなるように形成されている。また天壁２ｂの上面における外縁部には、径方向外側に向けて膨出するように形成された爪部（キャップ本体外向き爪部）２ｇが設けられている。
【００２５】
またキャップ本体２における外周壁２ａの内面には、雄ねじ部１ｄに適合する雌ねじ部２ｈが設けられている。これによりキャップ本体２は、雄ねじ部１ｄに雌ねじ部２ｈを螺合させるようにして容器本体１に取り付けられる。なお、キャップ本体２を容器本体１に取り付けた際、有底筒状をなす天壁２ｂの径方向内側部分は、その外周面が口部１ｃの内周面に液密に当接する。従って収容空間Ｓに収容した内容液が、天壁２ｂと口部１ｃとの間から漏れ出すことはない。またキャップ本体２を容器本体１に取り付けるにあたっては、このような雄ねじ部１ｄと雌ねじ部２ｈに限られず、例えばアンダーカット等の多の手段を用いてもよい。
【００２６】
パイプ３は、図１に示すように、管状をなすとともに上下方向に延在するものであって、その上端部は、保持壁２ｄに嵌合保持されている。またパイプ３の下端部は、底部１ａの近傍に位置している。なお以下の説明においては、パイプ３における底部１ａ側（下側）に位置する開口を底部側開口３ａと称し、口部１ｃ側（上側）に位置する開口を口部側開口３ｂと称する。
【００２７】
図２に示すように蓋体４は、キャップ本体２の外周壁２ａに連なるように延在する蓋体外周壁４ａと、蓋体外周壁４ａの上端部に連結する頂壁４ｂを備えている。本実施形態の頂壁４ｂは、径方向外側部分は水平方向に延在してドーナツ板状をなすものであり、また径方向内側部分は、上方へ向けて縮径するように延在している。本実施形態の蓋体４は、第一ヒンジ４ｃを介してキャップ本体２と一体に連結するものであって、キャップ本体２に対し、第一ヒンジ４ｃを中心に揺動するようにして閉蓋、開蓋させることができる。なお、蓋体外周壁４ａの内面における下端部には、キャップ本体外向き爪部２ｇに係合する爪部（蓋体内向き爪部）４ｄが設けられていて、両者を係合させることによって、キャップ本体２に対して蓋体４を閉蓋させておくことができる。また、蓋体外周壁４ａの内面における上端部には、閉蓋時にキャップ本体外向き爪部２ｇに当接する（わずかに隙間をあけていてもよい）ストッパー４ｅが設けられていて、蓋体４を閉蓋するにあたって、キャップ本体２に対する蓋体４の過剰な押し込みを防止している。
【００２８】
また蓋体４における頂壁４ｂの下面には、筒状をなし、キャップ本体２に対して蓋体４を閉蓋した際に、その外周面が注出筒２ｆの内周面に液密に当接するシール壁４ｆが設けられている。シール壁４ｆの内面における根元部分には、連結部材５を保持するための凸部４ｇが設けられている。そして頂壁４ｂの上面における外縁部には、径方向外側に向けて膨出するように形成された爪部（蓋体外向き爪部）４ｈが設けられている。
【００２９】
連結部材５は、上下方向に延在する筒状部５ａと、筒状部５ａの上部における外周面から径方向外側に向けて延在し、外縁部が凸部４ｇに係止されるフランジ部５ｂを備えている。筒状部５ａの内側には、下方に向かうにつれて縮径してその後は略同径で延在する連結筒部５ｃが設けられていて、連結筒部５ｃの上方には、径方向内側に向かって湾曲するように延在する湾曲爪部５ｄが設けられている。なお連結筒部５ｃの下部は、キャップ本体２に対して蓋体４を閉蓋した状態において、連通口２ｃに挿入するよう構成されている。また湾曲爪部５ｄは、詳細な図示は省略するが、連結筒部５ｃの内面に対して周方向に間隔をあけて複数設けられている。また連結部材５は、フランジ部５ｂの下方に位置し、筒状部５ａを横向きに貫く貫通孔（第二連通口）５ｅと、連結筒部５ｃの外面から第二連通口５ｅを取り囲んで横向きに延在する横向き筒状部５ｆを備えている。なお、筒状部５ａにおける上方に向けて開いた開口を吐出口５ｇと称する。
【００３０】
移動弁６は、球状をなすものであって、連結筒部５ｃと湾曲爪部５ｄとの間において上下方向に移動可能に配されている。ここで、移動弁６が連結筒部５ｃに向けて下方に移動している状態においては、連結筒部５ｃにおける縮径した部位と移動弁６とは周方向に略隙間なく当接している。一方、移動弁６が湾曲爪部５ｄに向けて移動した際は、連結筒部５ｃにおける縮径した部位と移動弁６との間には隙間が形成される。
【００３１】
発泡部材７は、円筒状になるベース７ａと、ベース７ａの端面に設けられるメッシュ７ｂとで構成されていて、筒状部５ａの上部に嵌合保持されている。メッシュ７ｂの目の粗さは、発泡させる内容液の種類等に応じて様々なものが採用可能である。また発泡部材７は、ベース７ａとメッシュ７ｂとを組み合わせたものに限られず、例えばスポンジや多孔質材などでもよい。
【００３２】
スリット弁８は、下方に向けて湾曲する薄肉状であって、中央部にスリットを設けた弁本体８ａと、弁本体８ａの外縁部に連結する環状の基部８ｂとを備えている。スリット弁８は、発泡部材７の上方に弁本体８ａを位置させた状態で、頂壁４ｂとフランジ部５ｂとの間で基部８ｂが挟持されている。またスリット弁８は、ゴム、エラストマー、低密度ポリエチレン（ＬＤＰＥ）、或いは直鎖低密度ポリエチレン（ＬＬＤＰＥ）等の比較的軟質な材料で形成されていて、通常時は弁本体８ａのスリットが閉じて発泡部材７が外気に曝されるのを防止する一方、胴部１ｂを圧搾して収容空間Ｓが加圧されると、スリットが開いて弁本体８ａは外側に向けて弾性変形する。
【００３３】
メッシュ部材９は、発泡部材７と同様に、ベース９ａの端面にメッシュ９ｂを設けた構成となっていて、横向き筒状部５ｆに嵌合保持されている。
【００３４】
外蓋１０は、概略有蓋筒状をなすものであって、蓋体外周壁４ａに連なるように延在する外蓋外周壁１０ａと、外蓋外周壁１０ａの上端部に連結する蓋壁１０ｂを備えている。外蓋１０は、第二ヒンジ１０ｃを介して蓋体４と一体に連結するものであって、蓋体４に対し、第二ヒンジ１０ｃを中心に揺動するようにして閉蓋、開蓋させることができる。なお第二ヒンジ１０ｃは、第一ヒンジ４ｃとは中心軸線Ｏを挟んで反対側に設けられる。また、外蓋外周壁１０ａの内面における下端部には、蓋体外向き爪部４ｈに係合する爪部（外蓋内向き爪部）１０ｄが設けられていて、蓋体外向き爪部４ｈと外蓋内向き爪部１０ｄとを係合させることによって、蓋体４に対して外蓋１０を閉蓋させておくことができる。また外蓋外周壁１０ａは、第二ヒンジ１０ｃに対して中心軸線Ｏを挟んで反対側に摘み部１０ｅを備えている。そして蓋壁１０ｂの下面には、外蓋１０を閉蓋した際に、スリット弁８を取り囲んで頂壁４ｂの上端部に当接するシール環状壁１０ｆが設けられている。
【００３５】
このような構成になる吐出容器から内容液を液状で吐出するにあたっては、図３に示すように、キャップ本体２に対して蓋体４を、第一ヒンジ４ｃを中心に揺動させるようにして開蓋する。そして容器本体１を傾倒させると、収容空間Ｓの内容液は口部１ｃに向かって流動し、更に排出口２ｅを通過して注出筒２ｆを伝って吐出される。
【００３６】
そして吐出容器から内容液を泡状で吐出するにあたっては、蓋体４と外蓋１０を閉蓋した状態で容器本体１を振って、収容空間Ｓの内容液を発泡させる。そして図４に示すように、蓋体４に対して外蓋１０を、第二ヒンジ１０ｃを中心に揺動させるようにして開蓋する。そして容器本体１を傾倒させつつ胴部１ｂを圧搾する。ここで、容器本体１を図示したように傾倒させると、収容空間Ｓの内容液は口部１ｃに向かって流動する一方、発泡した内容液は、底部１ａの周辺に溜まることになる。従って胴部１ｂを圧搾して収容空間Ｓが加圧されると、発泡した内容液は底部側開口３ａからパイプ３の内側を通り、更に、連結筒部５ｃと移動弁６の間を通って発泡部材７と吐出口５ｇを通過し、弁本体８ａを外側に向けて弾性変形させつつ、外界に吐出される。
【００３７】
なお、容器本体１を傾倒させていることから、収容空間Ｓの内容液は排出口２ｅを通過して連結部材５の周囲まで移動しているものの、注出筒２ｆはシール壁４ｆに液密に当接しているため、内容液が外部に漏れることはない。また連結部材５には、第二連通口５ｅが設けられているものの、第二連通口５ｅの上流側にはメッシュ部材９が設けられているため、メッシュ部材９を内容液が通過する際には抵抗が生じることになる。このため、パイプ３の内側を通る泡状の内容液の方が、第二連通口５ｅを通過する液状の内容液よりも流れやすいため、泡状の内容液を優先して吐出させることができる。
【００３８】
また、発泡部材７を設けなくても底部１ａに溜まった泡状の内容液を吐出させることが可能であるが、本実施形態のように発泡部材７を設けることによって、より肌理の細かい泡にして吐出することができる。
【００３９】
そして胴部１ｂへの圧搾を解除すると、図５に示すように、加圧された泡状の内容液によって弾性変形していた弁本体８ａが元の状態に戻ってスリットが閉じるため、泡状の内容液の吐出を直ちに停止させることができる。また胴部１ｂを圧搾していた手の力を緩めると、可撓性を有する胴部１ｂの復元に伴って収容空間Ｓの容積が増えるため、収容空間Ｓは減圧される。このため外気は、弁本体８ａのスリットから入り込み、吐出口５ｇと発泡部材７を通過して連結部材５の内側に導入される。なお移動弁６は、連結部材５の内側に導入された外気によって連結筒部５ｃに着座する。すなわち外気は、パイプ３に向かって流れずに、第二連通口５ｅを通過して収容空間Ｓに導入される。このようにして収容空間Ｓに新たな外気が導入されるため、容器本体１を再び振ることによって、内容液を新たに発泡させることができる。
【００４０】
なお、本発明に従う吐出容器においては、移動弁６を省略することも可能であるが、この場合に外気がパイプ３の内側を通過すると、パイプ３の内側に残っていた泡状の内容液が収容空間Ｓに戻されてしまい、次に胴部１ｂを圧搾しても泡状の内容液がすぐには吐出されないことがある。一方、本実施形態のように移動弁６を設ける場合は、次に胴部１ｂを圧搾した際には泡状の内容液を直ちに吐出することができるという利点がある。
【００４１】
以上、本発明に従う吐出容器について具体的な実施形態を示しながら説明したが、本発明に従う吐出容器は、上述した実施形態に限られるものではなく、特許請求の範囲に従う範疇で種々の変更を加えたものも含まれる。例えば本実施形態においては、移動弁６、発泡部材７、スリット弁８、メッシュ部材９を設けたが、これらを省略しても内容液を液状のまま吐出させることも泡状で吐出させることも可能である。また本実施形態では、第一ヒンジ４ｃと第二ヒンジ１０ｃを設けてキャップ本体２、蓋体４、及び外蓋１０を一体的に形成したが、第一ヒンジ４ｃと第二ヒンジ１０ｃを設けずに、これらを分離して個別に形成してもよい。
【符号の説明】
【００４２】
１：容器本体
１ａ：底部
１ｂ：胴部
１ｃ：口部
１ｄ：雄ねじ部
２：キャップ本体
２ａ：外周壁
２ｂ：天壁
２ｃ：連通口
２ｄ：保持壁
２ｅ：排出口
２ｆ：注出筒
２ｇ：キャップ本体外向き爪部
２ｈ：雌ねじ部
３：パイプ
３ａ：底部側開口
３ｂ：口部側開口
４：蓋体
４ａ：蓋体外周壁
４ｂ：頂壁
４ｃ：第一ヒンジ
４ｄ：蓋体内向き爪部
４ｅ：ストッパー
４ｆ：シール壁
４ｇ：凸部
４ｈ：蓋体外向き爪部
５：連結部材
５ａ：筒状部
５ｂ：フランジ部
５ｃ：連結筒部
５ｄ：湾曲爪部
５ｅ：第二連通口
５ｆ：横向き筒状部
５ｇ：吐出口
６：移動弁
７：発泡部材
７ａ：ベース
７ｂ：メッシュ
８：スリット弁
８ａ：弁本体
８ｂ：基部
９：メッシュ部材
９ａ：ベース
９ｂ：メッシュ
１０：外蓋
１０ａ：外蓋外周壁
１０ｂ：蓋壁
１０ｃ：第二ヒンジ
１０ｄ：外蓋内向き爪部
１０ｅ：摘み部
１０ｆ：シール環状壁
Ｏ：中心軸線
Ｓ：収容空間
【図１】
2020158180.tif 000003
【図２】
2020158180.tif 000004
【図３】
2020158180.tif 000005
【図４】
2020158180.tif 000006
【図５】
2020158180.tif 000007